(57)【要約】【課題】容易に操作することができる写真画像プリントシステムを提供する。【解決手段】写真画像プリントシステム１０は垂直面１１ａと、垂直面１１ａの下端から前方へ向って傾斜する前方操作面１１ｂと、一対の側面１１ｃと、背面１１ｄとを有する筐体１１と、筐体１１内に設置されたＰＣ２０と、筐体１１に設けられた画像情報入力部２１ａ、２１ｂ、２１ｃとを備えている。筐体１１内に３台のプリンタ３１、３２、３３が設けられ、これらプリンタ３１、３２、３３はプリンタボックス３０Ａ内に収納されている。筐体１１の前方操作面１１ｂに基本ガイダンスを表示する第１モニタ１３が設けられ、垂直操作面１１ａに補助ガイダンスを表示する第２モニタ１４が設けられている。【選択図】図１
2014221528.tif 000002
【特許請求の範囲】
【請求項１】
垂直操作面と、垂直操作面の下端から前方へ向って延びる前方操作面と、一対の側面と、背面とを有する筐体と、
筐体内に設置されたＰＣと、
筐体から外方へ露出するとともに、ＰＣに接続された画像情報入力部と、
筐体内に収納されたプリンタと、
筐体の前方操作面に設けられたタッチパネル機能をもつ第１モニタと、
筐体の垂直操作面に設けられたタッチパネル機能をもつ第２モニタとを備えたことを特徴とする写真画像プリントシステム。
【請求項２】
前方操作面は前方に向って下方へ傾斜して延びることを特徴とする請求項１記載の写真画像プリントシステム。
【請求項３】
筐体内に課金システムが内蔵されていることを特徴とする請求項１または２記載の写真画像プリントシステム。
【請求項４】
第１モニタにはプリント処理の基本ガイダンスが表示され、第２モニタには第１モニタに表示された基本ガイダンスをサポートする補助ガイダンスが表示されることを特徴とする請求項１乃至３のいずれか記載の写真画像プリントシステム。
【請求項５】
筐体の前方操作面より下方に位置する前面は、少なくとも一部が開口されて前面開口を形成し、
筐体内にこの前面開口を介して出入れされるプリンタボックスが設けられ、少なくとも一つのプリンタがこのプリンタボックス内に内蔵されていることを特徴とする請求項１乃至４のいずれか記載の写真画像プリントシステム。
【請求項６】
プリンタボックスの底部に、走行用ローラが取付けられていることを特徴とする請求項５記載の写真画像プリントシステム。
【請求項７】
プリンタボックス内に複数のプリンタが積層されていることを特徴とする請求項５または６記載の写真画像プリントシステム。
【請求項８】
プリンタボックスの前面に開閉扉が設けられ、プリンタボックス内に各プリンタを支持する支持レールが前後方向に延びて設けられ、各プリンタは支持レール上を走行可能となることを特徴とする請求項５乃至７のいずれか記載の写真画像プリントシステム。
【発明の詳細な説明】
【技術分野】
【０００１】
本発明は写真画像プリントシステムに係り、とりわけ操作を容易に行なうことができる写真画像プリントシステムに関する。
【背景技術】
【０００２】
従来より写真画像プリントシステムとして、筐体と、筐体に配置された、デジタルメディア挿入口を有するパーソナルコンピューター（以下、「ＰＣ」という。）およびタッチパネル付のモニタと、筐体内に収納されたプリンタおよび課金システムとを備えたものが知られている。
【０００３】
使用にあたって操作者は、ＰＣのデジタルメディア挿入口に必要な画像情報を格納したデジタルメディア、例えばＳＤ（secure digital）カード、ＣＤ−ＲＯＭ等を挿入し、ディスプレイ上で必要な情報を入力する。
【０００４】
その後、操作者は課金システムに接続された筐体の前面側から料金を支払う。操作者が料金を支払った後、プリンタが写真画像をプリントして写真画像印刷物を作成し、この写真画像印刷物は前面に設けられた取出口に集積され、その後取出口内の印刷物は外方へ取出される。
【０００５】
ところで、写真画像プリントシステムは筐体に設置されたタッチパネル機能をもつモニタを介して操作される。この場合、筐体に設置されたタッチパネル機能をもつモニタは垂直状に配置されており、操作者は写真画像プリントシステムの前方に立って操作することが一般的である。このような場合、タッチパネル機能をもつモニタを複数台設置し、一方のタッチパネル機能をもつモニタにより主たる操作を行ない、他方のタッチパネル機能をもつモニタにより補助的な操作を行なうことができれば、写真画像プリントシステムの操作を容易に行なうことができて都合が良い。
【先行技術文献】
【特許文献】
【０００６】
【特許文献１】特開２０１２−１７１７３号公報
【発明の概要】
【発明が解決しようとする課題】
【０００７】
本発明はこのような点を考慮してなされたものであり、操作者が容易に操作を行なうことができる写真画像プリントシステムを提供することを目的とする。
【課題を解決するための手段】
【０００８】
本発明は、垂直操作面と、垂直操作面の下端から前方へ向って延びる前方操作面と、一対の側面と、背面とを有する筐体と、筐体内に設置されたＰＣと、筐体から外方へ露出するとともに、ＰＣに接続された画像情報入力部と、筐体内に収納されたプリンタと、筐体の前方操作面に設けられたタッチパネル機能をもつ第１モニタと、筐体の垂直操作面に設けられたタッチパネル機能をもつ第２モニタとを備えたことを特徴とする写真画像プリントシステムである。
【０００９】
本発明は、前方操作面は前方に向って下方へ傾斜して延びることを特徴とする写真画像プリントシステムである。
【００１０】
本発明は、筐体内に課金システムが内蔵されていることを特徴とする写真画像プリントシステムである。
【００１１】
本発明は、第１モニタにはプリント処理の基本ガイダンスが表示され、第２モニタには第１モニタに表示された基本ガイダンスをサポートする補助ガイダンスが表示されることを特徴とする写真画像プリントシステムである。
【００１２】
本発明は、筐体の前方操作面より下方に位置する前面は、少なくとも一部が開口されて前面開口を形成し、筐体内にこの前面開口を介して出入れされるプリンタボックスが設けられ、少なくとも一つのプリンタがこのプリンタボックス内に内蔵されていることを特徴とする写真画像プリントシステムである。
【００１３】
本発明は、プリンタボックスの底部に、走行用ローラが取付けられていることを特徴とする写真画像プリントシステムである。
【００１４】
本発明は、プリンタボックス内に複数のプリンタが積層されていることを特徴とする写真画像プリントシステムである。
【００１５】
本発明は、プリンタボックスの前面に開閉扉が設けられ、プリンタボックス内に各プリンタを支持する支持レールが前後方向に延びて設けられ、各プリンタは支持レール上を走行可能となることを特徴とする写真画像プリントシステムである。
【発明の効果】
【００１６】
以上のように本発明によれば、筐体の前方操作面に設けられたタッチパネル機能をもつモニタを用いて操作し、筐体の垂直操作面に設けられたタッチパネル機能をもつモニタを用いて操作することにより、写真画像プリントシステムの操作を容易に行なうことができる。
【図面の簡単な説明】
【００１７】
【図１】図１は本発明の第１の実施の形態による写真画像プリントシステムを前方側からみた概略斜視図。
【図２】図２はプリンタボックス内に内蔵されたプリンタを示す図。
【図３】図３は開閉扉を開いた状態のプリンタボックス内に内蔵されたプリンタを示す図。
【図４】図４は写真画像プリントシステムのＰＣの構成を示すブロック図。
【図５】図５は写真画像プリントシステムの操作方法を示す図。
【図６】図６（ａ）（ｂ）は写真画像プリントシステムの操作方法を示す図。
【図７】図７は写真画像プリントシステムの操作方法を示す図。
【図８】図８は写真画像プリントシステムの操作方法を示す図。
【図９】図９は写真画像プリントシステムの操作方法を示す図
【図１０】図１０は写真画像プリントシステムの操作方法を示す図。
【図１１】図１１（ａ）（ｂ）は写真画像プリントシステムの操作方法を示す図。
【図１２】図１２は本発明の第２の実施の形態を示すプリンタボックスおよびプリンタを示す図。
【図１３】図１３（ａ）（ｂ）（ｃ）は本発明の第２の実施の形態によるインクリボンと印刷物を示す図。
【発明を実施するための形態】
【００１８】
第１の実施の形態
以下、図面を参照して本発明による写真画像プリントシステムについて説明する。
【００１９】
図１乃至図１３は写真画像プリントシステムの一実施の形態を示す図である。
【００２０】
ここで図１は写真画像プリントシステムを前方側からみた概略斜視図であり、図２はプリンタおよびプリンタボックスを示す図、図３はプリンタおよびプリンタボックスを示す図であって開閉扉が開いた状態を示す図である。
【００２１】
図１乃至図３に示すように、本発明による写真画像プリントシステム１０は、垂直操作面１１ａと、垂直操作面１０ａの下端から前方に向って下方へ傾斜して延びる前方操作面１１ｂと、一対の側面１１ｃと、背面１１ｄとを有する筐体１１と、筐体１１内に設置された箱状のパーソナルコンピュータ（ＰＣ）２０とを備えている。
【００２２】
このうち筐体１１の前方操作面１１ｂは、後述のように操作の便を図るため前方に向って下方へ例えば２０°の角度で傾斜している。
【００２３】
また筐体１１の前方操作面１１ｂには、プリント処理の基本ガイダンスを表示するタッチパネル機能をもつ第１モニタ１３が設置され、筐体１１の垂直操作面１１ａには第１モニタ１３に表示された基本ガイダンスをサポートする補助ガイダンスを表示するタッチパネル機能をもつ第２モニタ１４が設置されている。
【００２４】
また筐体１１の垂直操作面１１ａには、筐体１１に内蔵されたＰＣ２０に接続されたデジタルメディア挿入口２１ａおよびＣＤおよびＤＶＤ用光学ドライブ２１ｂが設けられている。さらに前方操作面１１ｂには、スマートフォン用の入力コード２１ｃが設けられている。
【００２５】
これらデジタルメディア挿入口２１ａ、ＣＤおよびＤＶＤ用光学ドライブ２１ｂ、およびスマートフォン用の入力コード２１ｃは各々デジタルメディア、ＣＤおよびＤＶＤ、スマートフォン等の媒体（メディア）から画像情報を読み取るものであり、画像情報入力部を構成する。
【００２６】
また、前方操作面１１ｂには、第１モニタ１３を操作するためのタッチペン１９が設けられている。
【００２７】
さらに筐体１１のうち、前方操作面１１ｂの下方の下方部分には、図１の右側に課金システム８が設置され、この課金システム８には料金の投入口８ａおよびおつりの取出口８ｂが設けられている。さらに垂直操作面１１ａには、電子マネー入力部１７が設けられている。
【００２８】
さらに筐体１１のうち前方操作面１１ｂより下方に位置する前面には、課金システム８の左側部分に前面開口１１Ａが形成されている（図１参照）。そして筐体１１内に前面開口１１Ａを介して、プリンタボックス３０Ａが出入れ自在に設置されている。
【００２９】
このプリンタボックス３０Ａの底部には走行用ローラ３６が取付けられ、この走行用ローラ３６を介してプリンタボックス３０Ａが床面上を走行することができる。
【００３０】
またプリンタボックス３０Ａ内には３台のプリンタ３１、３２、３３が互いに積層して配置され、各プリンタ３１、３２、３３はプリンタボックス３０Ａ内に設けられた支持レール３１ａ、３２ａ、３３ａ上を走行することができる。
【００３１】
また図１乃至図３に示すように、プリンタボックス３０Ａの前面側に開閉扉３０Ｂが開閉自在に取付けられている。そして開閉扉３０Ｂを開とすることにより、各プリンタ３１、３２、３３は対応する支持レール３１ａ、３２ａ、３３ａに沿って前方に走行して、プリンタボックス３０Ａの前面側へ突出可能となっている（図３参照）。
【００３２】
またプリンタボックス３０Ａの開閉扉３０Ｂには、各プリンタ３１、３２、３３によりプリント処理されて作製された印刷物を集積して取出す取出口３５が設けられている。
【００３３】
なお、上述したプリンタボックス３０Ａと、プリンタボックス３０Ａ内に設置され支持レール３１ａ、３２ａ、３３ａにより走行自在に支持された３台のプリンタ３１、３２、３３によりプリンタ機構３０が構成される。
【００３４】
次にＰＣ２０内の構成について、図４により説明する。図４はＰＣ２０内の構成を示すブロック図である。
【００３５】
図４に示すようにＰＣ２０は、画像データ読込書込手段２０Ａと、画像編集合成手段２０Ｂと、素材データベース２０Ｃと、プリンタ制御部２０Ｄと、枚数制御部２０Ｅとを備え、ＰＣ２０に、第１モニタ１３、第２モニタ１４、プリンタ３１、３２、３３および課金システム８が接続されている。
【００３６】
画像データ読込書込手段２０Ａは、予め記憶された画像データを画像情報入力部２１ａ、２１ｂ、２１ｃにおいて読み取ることにより、画像データを取得する。また、画像データ読込書込手段２０Ａは、ＰＣ２０が作成した画像データを画像情報入力部２１ａ、２１ｂ、２１ｃを介して、デジタルメディア、ＣＤおよびＤＶＤ、あるいはスマートフォン等、対応する各種媒体（各種メディア）に記録することもできる。
【００３７】
ここで各種媒体としては、例えば、ＳＤ（secure digital）カード、スマートメディア、コンパクトフラッシュ（登録商標）カード、フレキシブルディスク、ＰＣ（Personal Computer）カード、ＣＤ−ＲＯＭ（Compact Disc-Read Only Memory）等が用いられる。
【００３８】
画像編集合成手段２０Ｂは、一つ以上の画像データに対して、落書き、スタンプのような加工、画像データの切抜き、変倍、切り抜いた画像の他の画像への貼り付け等、合成編集等を対話的に行う対話型インタフェース手段と画像処理プログラムで構成される。加工や合成編集に扱う画像データとしては、素材データベース２０Ｃに存在する素材画像データ、フレーム画像データ等を用いることもできる。
【００３９】
また図４に示すように、枚数制御部２０Ｅは、第１モニタ１３および第２モニタ１４と、画像データ読込書込手段２０Ａとの間に介在されている。本実施の形態による写真画像プリントシステム１０は、上述のように３台のプリンタ３１、３２、３３を有しており、このうち最下層のプリンタ３１により例えば最小サイズ（例えばＬサイズ）の印刷物をプリントし、他のプリンタ３２、３３により大型サイズ（２Ｌサイズ）の印刷物をプリントすることができる。ここでＬサイズの幅は、２Ｌサイズの幅と同一であり、Ｌサイズの長さは２Ｌサイズの１／２となっている。
【００４０】
またプリンタボックス３０Ａの取出口３５に大量の印刷物が集積して詰まることがないよう、各プリンタ３１、３２、３３によりプリントされる印刷物の総枚数の上限およびサイズ毎の印刷物の枚数の上限を予め定めておく。そしてこれらプリンタ３１、３２、３３によりプリントされる印刷物の総枚数およびサイズ毎の枚数の上限は枚数制御部２０Ｅに内蔵されている。
【００４１】
そして図４において、後述のようにタッチパネル付の第１モニタ１３からプリントすべき画像、印刷物のサイズおよび印刷物の枚数等の操作信号が入力された場合、枚数制御部２０Ｅにおいてこれらの印刷物のサイズおよび印刷物の枚数に基づいて、印刷物の総枚数の上限およびサイズ毎の枚数の上限を超えているか否か判断される。
【００４２】
枚数制御部２０Ｅにおいて、印刷物の総枚数の上限またはサイズ毎の枚数の上限を越えていると判断した場合、枚数制御部２０Ｅは第１モニタ１３側からの操作信号を受け付けないようになっている。
【００４３】
ここでプリンタ３１、３２、３３によりプリントすべき印刷物の総枚数の上限を３００枚と定めることができる。また２Ｌサイズの印刷物の枚数の上限を１００枚と定めることができ、Ｌサイズの印刷物の枚数の上限を３００枚と定めることができる。
【００４４】
ところでＰＣ２０に接続されたプリンタ３１、３２、３３は、高解像度カラープリンタである。昇華型熱転写あるいはインクジェット型などの方式は問わない。
【００４５】
また操作者は後述のように第１モニタ１３および第２モニタ１４を通してＰＣ２０に出力すべき注文内容を必要に応じて選択する。選択項目としては、モードの選択（実画像データの通常の出力を行うのか、シールプリントを行うのか、ＣＤ−Ｒ等の記録メディアへの書き込みを行うのか、等の指定）、さらに、実画像データの通常の出力等の場合には、複数コマ分の画像データを入力した場合、どの画像をプリントするのかの指定、プリント枚数やプリントサイズの指定等がある。なお、利用者は画像を出力する前に、一つ以上の画像データを指定して加工および合成編集することができる。
【００４６】
なお、上述のように、画像情報入力部として、筐体１１にデジタルメディア挿入口２１ａ、ＣＤおよびＤＶＤ用光学ドライブ２１ｂ、あるいはスマートフォン用の入力コード２１ｃを設けた例を示したが、さらに画像情報入力部として赤外線入力部２１ｄあるいはBlue tooth（登録商標）入力部２１ｅを筐体１１に設けてもよい。
【００４７】
次にこのような構成からなる本実施の形態の作用について説明する。
【００４８】
まず、走行用ローラ３６を介してプリンタボックス３０Ａを走行させて筐体１１内に押込む。このようにして筐体１１の前面開口１１Ａにスペースを形成しておく。
【００４９】
次に操作者は椅子に（図示せず）腰を掛け、筐体１１の前面開口１１Ａ内に脚を挿入する。このようにして操作者は筐体１１の前面側で、脚が筐体１１にぶつかることなくリラックスして椅子に腰掛けることができる。
【００５０】
次に操作者は図１に示す写真画像プリントシステム１０の前方において、椅子に腰を掛けて第１モニタ１３および第２モニタ１４に対して必要な操作を行う。
【００５１】
この際、操作者は、画像情報が格納されたＳＤカード、ＣＤ−ＲＯＭ等の各種媒体（各種メディア）を、ＰＣ２０に接続されたデジタルメディア挿入口２１ａ、ＣＤおよびＤＶＤ用光学ドライブ２１ｂ、あるいはスマートフォン用の入力コード２１ｃに挿着する。この場合、デジタルメディア挿入口２１ａにはデジタルメディアが挿入され、ＣＤおよびＤＶＤ用光学ドライブ２１ｂにはＣＤおよびＤＶＤが挿入される。またスマートフォン用の入力コード２１ｃには、スマートフォンが接続される。次に料金の投入口８ａから必要な料金を支払う。この場合、おつりの取出口８ｂからおつりを取出すことができる。
【００５２】
なお、操作者は料金を投入口８ａから支払う代わりに、電子マネー入力部１７を介して電子マネーを支払うこともできる。
【００５３】
このように操作者が第１モニタ１３および第２モニタ１４に対して必要な操作を行い、デジタルメディア、ＣＤおよびＤＶＤ、あるいはスマートフォン内の画像情報をデジタルメディア挿入口２１ａ、ＣＤおよびＤＶＤ用光学ドライブ２１ｂあるいはスマートフォン用の入力コード２１ｃにより読みとり、かつ必要な料金を支払うことにより、ＰＣ２０を作動させてプリンタ３１、３２、３３を駆動制御することができる。このことによりプリンタ３１、３２、３３によりプリントされた写真画像印刷物が得られ、この写真画像印刷物はプリンタボックス３０Ａに設けられた印刷物の取出口３５に集積される。
【００５４】
また、プリント処理が終了した後、合計金額およびプリント枚数を表示したレシートが垂直操作面１１ａに設けられたレシート排出口１６から排出される。
【００５５】
次にタッチパネル付の第１モニタ１３および第２モニタ１４に対して行なわれる具体的な操作方法について、図５乃至図１１を用いて以下詳述する。
【００５６】
まず、操作者が筐体１１の前方において椅子に腰掛けた時、第１モニタ１３には、「画像の入力方法を選択して下さい」、「メモリカード／ＵＳＢメモリ、ＣＤ／ＤＶＤ」、「赤外線」、「Blue tooth」、「スマートフォン」が基本ガイダンスとして表示される（図５参照）。
【００５７】
操作者は、第１モニタ１３の所望位置を押圧して、これらいずれかの画像の入力方法を選択する。この場合、第２モニタ１４には、第１モニタ１３の基本ガイダンスをサポートする補助ガイダンスとして、「ＡＢＣ社」あるいは「写真のプリントをはじめます」が表示される。
【００５８】
次に操作者が「メモリカード／ＵＳＢメモリ、ＣＤ／ＤＶＤ」を選択すると、第１モニタ１３はメモリカードのうち「ＳＤメモリカード」を優先メディアとして表示する（図６（ａ））。
【００５９】
一般に操作者は「メモリカード／ＵＳＢメモリ、ＣＤ／ＤＶＤ」を選択した場合、優先メディアとして「ＳＤメモリカード」を用いる場合が多いので（５０％以上）、第１モニタ１３上には優先メディアとして「ＳＤメモリカード」が表示されるが、第２モニタ１４上には、その他のメディアも同様に表示される。
【００６０】
操作者は第１モニタ１３上の「お手持ちのデジタルメディアを対応した挿入口にセットして下さい」の表示に従って、例えばＳＤメモリカードをデジタルメディア挿入口２１ａに差し込む。
【００６１】
次に図６（ｂ）に示すように、第１モニタ１３上には、「ご注文したいプリントを選択して下さい」「デジタルプリント」「インデックスプリント」「分割プリント」が表示される。
【００６２】
この際、第２モニタ１４には、デジタルプリントを選択した場合、この「デジタルプリントにはフレームもつけられる」旨の表示および分割プリントの具体例が表示される。
【００６３】
操作者は、第２モニタ１４に表示された具体例を参照しながら、第１モニタ１３の所望位置を押圧して、注文したいプリントタイプを選択する。
【００６４】
ところで操作者は、図７に示すように、自らのＳＤメモリカードに内蔵された画像情報に対して検索処理を施すことができる。
【００６５】
まず、第１モニタ１３の検索表示を押圧する。このとき第２モニタ１４上にカレンダーが表示され、同時に「絞りこむ日付を選択して下さい」が表示される。
【００６６】
操作者が第２モニタ１４上のカレンダーに基づいて、具体的な特定の日付を選択すると、第１モニタ１３上に、当該特定の日付に対応するすべての画像が表示される。第１モニタ１３上の多数の画像は、第１モニタ１３上で順次自動スクロールを行なうことにより左右へスクロールすることができる。また第１モニタ１３上の画像は、指先でつまみながら任意の大きさに拡大または縮小することができる。なお、第２モニタ１４の日付を追加して押圧することにより追加した日付の画像を第１モニタ１３上に追加表示することができる。
【００６７】
操作者が第１モニタ１３上において、「注文したい画像と枚数を選択してください」の表示に従って画像および枚数を選択した場合、選択した画像と枚数は第２モニタ１４の最下欄に横方向に並んで表示される。
【００６８】
この場合、操作者が第２モニタ１４の最下欄の右方に設けられた「ＯＦＦ」表示を押圧することにより、第２モニタ１４の最下欄には具体的な画像ではなく、各画像に対応するマークとその画像の枚数が表示される。
【００６９】
一般に垂直操作面１１ａ上に設置された第２モニタ１４は、第３者からのぞかれる可能性が高いため、「ＯＦＦ」表示を押圧することにより、第２モニタ１４上の具体的な画像を第３者から隠すことができる。
【００７０】
もちろん操作者は「ＯＦＦ」表示を押圧することなく、第１モニタ１３上で選択した画像と枚数を第２モニタ１４上の最下欄に表示することができる。
【００７１】
次に操作者は図８に示すように選択した画像および枚数を確定する。すなわち、操作者は図８に示すように、第１モニタ１３上の「ご注文内容を確認してください」の表示に沿って、選択した画像、その枚数、印刷物のサイズ、およびその金額を確認したのち、「確定」表示を押圧する。このことにより、操作者による注文が終了する。
【００７２】
この場合、第２モニタ１４上には、更におすすめの印刷物の種類、例えば「分割プリント」「カレンダー付プリント」等が表示され、操作者はこの第２モニタ１４上のおすすめの表示に基づいて、更に追加注文することもできる。この場合、操作者は第１モニタ１３上の「追加注文」を押圧する。
【００７３】
図８において、第２モニタ１４上には、操作者が選択した画像を使っておすすめの印刷物が表示されるが、第２モニタ１４上の「ＯＦＦ」表示を押圧することにより、おすすめの印刷物として、操作者が選択した画像ではなく、予め取得した一般画像を用いて作製されたものが用いられる。
【００７４】
この間、操作者は、例えば図９に示すように、第１モニタ１３上の「お好みの画像調整をおこなってください」の表示に沿って選択した画像に対して画像調整を施すことができる。
【００７５】
この場合、第２モニタ１４上には、画像調整の具体例が表示され、第２モニタ１４上の具体例を参考にしながら操作者は、選択した画像に対する画像調整を容易に行なうことができる。
【００７６】
このようにして、操作者が第１モニタ１３および第２モニタ１４に対して操作し、必要な画像および枚数を選択した後、操作内容を確定することにより、印刷物の注文が終了する。
【００７７】
その後操作者は、必要な料金を投入口８ａから支払うか、又は電子マネー入力部１７から電子マネーを支払う。
【００７８】
その後ＰＣ２０がプリンタ３１、３２、３３を駆動制御して、印刷物を作製し、この印刷物はプリンタボックス３０Ａの取出口３５上に集積される。その後操作者は取出口３５上に集積された印刷物を外部に取出す。
【００７９】
この間、プリンタ３１、３２、３３のプリント処理中、操作者は、例えば図１０に示すように、第１モニタ１３上の「スタート」表示を押圧することにより、第２モニタ１４上に表示されたゲームを楽しむことができる。
【００８０】
あるいは、第１モニタ１３上の「スライドショー」の表示を押圧することにより第２モニタ１４上で選択された画像を用いたスライドショーを楽しむことができる。
【００８１】
なお、第２モニタ１４上の「ＯＦＦ」表示を押圧することにより、第２モニタ１４上にはスライドショーの代わりに「ＡＢＣ社」のコマーシャル等が表示される。
【００８２】
次に第１モニタ１３および第２モニタ１４の他の操作方法を述べる。
【００８３】
図１１（ａ）に示すように、第１モニタ１３および第２モニタ１４を操作する際、例えば第１モニタ１３上の「デジタルメディアを取り出してください」の表示に従ってデジタルメディアを取出すこともできる。この場合、第２モニタ１４上に「デジタルメディアを取り出してください」の表示をし、かつ筐体１１のうちデジタルメディアの取出箇所を表示することにより、操作者は容易にデジタルメディアを筐体１１から取出すことができる。
【００８４】
あるいは図１１（ｂ）に示すように、第１モニタ１３上に「以下の注意事項を必ずご確認の上、同意される場合のみ「同意する」ボタンを押してください」、「同意しない」、「同意する」の表示をし、かつ第２モニタ１４上に注意事項を表示する位置を表示することにより、操作者は確実に注意事項を確認することができる。
【００８５】
ここで、例えば昇華型熱転写方式のプリンタ３１、３２、３３を備えた写真画像プリントシステム１０を長時間に渡って使用していると、プリンタ３１、３２、３３内に内蔵されるインクリボンおよび受像紙が消耗してくる。
【００８６】
この場合は、プリンタボックス３０Ａを筐体１１の前面開口１１Ａから前方へ引出し、プリンタボックス３０Ａの開閉扉３０Ｂを開く。次に各プリンタ３１、３２、３３を各々の支持レール３１ａ、３２ａ、３３ａに沿って前方へ引出す。このことにより各プリンタ３１、３２、３３内のインクリボンを交換し、かつ各プリンタ３１、３２、３３内に受像紙を補充することができる。
【００８７】
以上のように本実施の形態によれば、前方操作面１１ｂ上に基本ガイダンスを表示するタッチパネル付の第１モニタ１３を設け、垂直操作面１１ａ上に基本ガイダンスをサポートする補助ガイダンスを表示するタッチパネル付の第２モニタ１４を設けることにより、容易かつ簡単に写真画像プリントシステムの操作を行なうことができる。
【００８８】
第２の実施の形態
次に図１２および図１３により本発明の第２の実施の形態について説明する。図１２および図１３に示す実施の形態は、ＰＣ２０のプリンタ制御部２１が特定の制御方法を実行する点が異なるのみであり、他の構成は図１乃至図１１に示す第１の実施の形態と略同一である。
【００８９】
図１２および図１３に示す実施の形態において、図１乃至図１１に示す第１の実施の形態と同一部分には同一符号を付して詳細な説明は省略する。
【００９０】
図１２に示すように、写真画像プリントシステム１０のプリンタシステム３０は、底部に走行用ローラ３６が取付けられたプリンタボックス３０Ａと、プリンタボックス３０Ａ内に上下方向に積層された３台のプリンタ３１、３２、３３とを備え、プリンタボックス３０Ａの前面に開閉扉３０Ｂが開閉自在に設けられている。
【００９１】
また開閉扉３０Ｂには、印刷物の取出口３５が設けられている。
【００９２】
また３台のプリンタ３１、３２、３３のうち、最下層のプリンタ３１では最小サイズ（例えばＬサイズ）の印刷物５ａがプリントされ、他のプリンタ３２、３３ではＬサイズと同一幅をもちかつＬサイズの２倍の長さをもつ２Ｌサイズの印刷物５ｂがプリントされる（図１３（ａ）（ｂ）（ｃ）参照）。
【００９３】
この場合、取出口３５に近いプリンタ３１によってＬサイズの印刷物５ａをプリントすることにより、取出口３５における印刷物５ａの詰まりを防ぐことができる。また、他のプリンタ３２、３３は取出口３５から離れているため、このプリンタ３２、３３によって比較的大きなサイズ（２Ｌサイズ）の印刷物５ｂをプリントすることができる。
【００９４】
本実施の形態においては、図４に示すようにＰＣ２０がプリンタ制御部２１Ｄを有し、このプリンタ制御部２１Ｄにより各プリンタ３１、３２、３３を制御することができる。この場合、プリンタ制御部２１Ｄは最下層のプリンタ３１を制御して、このプリンタ３１によって最小サイズ（Ｌサイズ）の印刷物５ａをプリントする。同時に他のプリンタ３２、３３を制御して、これらのプリンタ３２、３３によって２Ｌサイズの印刷物５ｂをプリントする。
【００９５】
具体的には、図１３（ａ）に示すように各プリンタ３１、３２、３３には同一幅（同一形状）のインクリボン４が内蔵されている。そして最下層のプリンタ３１により小型のＬサイズの印刷物５ａをプリントすることができる（図１３（ｂ）参照）。また他のプリンタ３２、３３により大型の２Ｌサイズの印刷物５ｂをプリントすることができる（図１３（ｃ）参照）。
【００９６】
また最下層のプリンタ３１内には、他のプリンタ３２、３３と同一形状のインクリボン４が内蔵され、またプリンタ３１内にはプリンタ３２、３３と同一形状の受像紙が内蔵されている。
【００９７】
このように３台のプリンタ３１、３２、３３内に同一形状のインクリボン４および同一形状の受像紙を内蔵することにより、インクリボン４の交換および受像紙の補充をプリンタ３１、３２、３３毎に間違えることなく実行することができる。
【００９８】
すなわちプリンタ３１、３２、３３毎に印刷物のサイズに合わせて異なった形状のインクリボンあるいは受像紙を装着する場合、プリンタ３１、３２、３３間で不適切なインクリボンあるいは受像紙を装着することも考えられるが、本実施の形態によれば、３台のプリンタ３１、３２、３３内に同一形状のインクリボン４および受像紙を装着することにより、インクリボン４の交換作業および受像紙の補充作業を間違いなく実行することができる。
【００９９】
ここでインクリボン４はＹ（イエロー）領域、Ｍ（マゼンタ）領域、Ｃ（シアン）領域およびＯＰ（オーバーコート）領域を有している（図１３（ａ）参照）。最下層のプリンタ３１によりＬサイズの印刷物５ａをプリントする場合は、２Ｌサイズのインクリボンを用い、２Ｌサイズの受像紙がインクリボン４のＹ領域、Ｍ領域、Ｃ領域およびＯＰ領域に順次くるよう位置決めし、２Ｌサイズの受像紙に対してＬサイズで２画面分の印刷を施した後、２Ｌサイズの受像紙をＬサイズ毎にカットする。このことによりプリンタ３１により小型のＬサイズの印刷物５ａを得ることができる（図１３（ｂ）参照）。
【０１００】
プリンタ３２、３３により２Ｌサイズの印刷物５ｂをプリントする場合は、各々２Ｌサイズのインクリボンを用い、各々２Ｌサイズの受像紙がインクリボン４のＹ領域、Ｍ領域、Ｃ領域およびＯＰ領域に順次くるよう位置決めし、各々２Ｌサイズの受像紙に対して印刷を施すことにより大型の２Ｌサイズの印刷物５ｂを得ることができる（図１３（ｃ）参照）。
【符号の説明】
【０１０１】
４  インクリボン
５ａ  印刷物
５ｂ  印刷物
８  課金システム
１０  写真画像プリントシステム
１１  筐体
１１ａ  垂直操作面
１１ｂ  前方操作面
１１ｃ  側面
１１ｄ  背面
１３  第１モニタ
１４  第２モニタ
２０  ＰＣ
２０Ａ  画像データ読込書込手段
２０Ｂ  画像編集合成手段
２０Ｃ  素材データベース
２０Ｄ  プリンタ制御部
２０Ｅ  枚数制御部
２１ａ  デジタルメディア挿入口
２１ｂ  ＣＤおよびＤＶＤ用光学ドライブ
２１ｃ  スマートフォン用の入力コード
３０  プリンタ機構
３０Ａ  プリンタボックス
３０Ｂ  開閉扉
３１、３２、３３  プリンタ
３１ａ、３２ａ、３３ａ  支持レール
３５  取出口
３６  走行用ローラ
【図１】
2014221528.tif 000003
【図２】
2014221528.tif 000004
【図３】
2014221528.tif 000005
【図４】
2014221528.tif 000006
【図５】
2014221528.tif 000007
【図１２】
2014221528.tif 000008
【図１３】
2014221528.tif 000009
【図６】
2014221528.tif 000010
【図７】
2014221528.tif 000011
【図８】
2014221528.tif 000012
【図９】
2014221528.tif 000013
【図１０】
2014221528.tif 000014
【図１１】
2014221528.tif 000015